(57)【要約】【課題】  内容器および外装ケースの底部間のスペースを高くしたり、高くなるような場合にも、内容器の吊持ち固定状態が緩みにくくする。【解決手段】  内容器２を、外装ケース１内にその肩部材１６の開口部２０から収容し、内容器２の外周上部２ａを外装ケース１の開口部２０に載置して吊持ち、内容器２の底部２ｂと外装ケース１の底部１ａとをこの底部１ａの下方から挿入したねじ２１を利用し連結してそれら底部２ｂ、１ａ間を引き付け、内容器２を外装ケース１に固定するのに、内容器２の底部２ｂから下方に延びる連結部材５１の下端の横向きな連結片５１ａに縦向きのスペーサ５３を取り付け、このスペーサ５３と外装ケース１の底部１ａとを前記ねじ２１により連結することにより、上記の目的を達成する。【選択図】図３
2006081819.tif 000002
【特許請求の範囲】
【請求項１】
内容液をヒータで加熱して湯沸しや保温を行い貯湯し使用に供する内容器を、外装ケース内にその肩部の開口部から収容し、内容器の外周上部を外装ケースの肩部の開口部に載置して吊持ち、内容器の底部と外装ケースの底部とをこの底部の下方から挿入したねじを利用し連結してそれら底部間を引き付け、内容器を外装ケースに固定した器体を備え、
前記内容器の底部から下方に延びる連結部材の下端の横向きな連結片に縦向きのスペーサを取り付け、このスペーサと前記外装ケースの底部とを前記ねじにより連結して内容器を外装ケースに固定したことを特徴とする電気貯湯容器。
【請求項２】
前記外装ケースの底部の前記ねじを通す孔は、この孔内に位置するねじまたはスペーサとの間に遊びを持つ大きさである請求項１に記載の電気貯湯容器。
【請求項３】
外装ケースの底部の下面の前記ねじを通す部分には少なくとも二重のワッシャを当てがってあり、ねじの頭部と接面している外側のワッシャに比して内側のワッシャは軟らかくかつ圧縮に対する弾性復元力を有している請求項１、２のいずれか１項に記載の電気貯湯容器。
【請求項４】
前記ねじによる連結は、前記内側のワッシャの前記外側のワッシャと外装ケースの底部との間での圧縮を伴い行われている請求項３に記載の電気貯湯容器。
【請求項５】
前記内側のワッシャの圧縮量は、器体の取扱上生じることのある前記連結の遊び量以上である請求項４に記載の電気貯湯容器。
【請求項６】
前記ねじによる連結は、前記内側のワッシャの外側のワッシャとスペーサとの間での圧縮をも伴って行われている請求項４、５のいずれか１項に記載の電気貯湯容器。
【発明の詳細な説明】
【技術分野】
【０００１】
本発明は内容液を加熱して湯沸しや保温を行い貯湯し使用に供する電気貯湯容器に関し、家庭用の電気ポットなどに利用される。
【背景技術】
【０００２】
この種の電気貯湯容器で、前記貯湯を行う内容器を外装ケース内にその肩部の開口部から収容し、内容器の外周上部を外装ケースの肩部の開口部に載置して吊持ち、内容器の底部と外装ケースの底部とをこの底部の下方から挿入したねじを利用し連結してそれら底部間を引き付け、内容器を外装ケースに固定した器体を備えたものが知られている（例えば、特許文献１、２参照。）。いずれも、両端に反対向きに折り曲げた連結片を形成したほぼＺ型の連結金具を用いて、その一端の連結片を内容器の底部に溶接付けなどして設けた連結部に下方からねじ止めして下方へ延びるようにし、下端となった連結片と外装ケースの底部とをその下から挿入したねじにより連結している。このようなＺ型の連結金具を用いると上端となった連結片のねじ止め、下端となった連結片によるねじ連結のいずれも同じ側、つまり下側から互いの邪魔なしに行えるし、それを解くこともでき、組立てにも、分解修理にも有利である。
【特許文献１】特開平０８−１３１３３２号公報
【特許文献２】特開２００２−３６９７４７号公報
【発明の開示】
【発明が解決しようとする課題】
【０００３】
ところで、内容器の底部と外容器の底部との間は、そこにどのようなものを、どのように設置するかで必要スペースの高さに違いがあり、特許文献１に記載のものは特許文献２に記載のものよりもスペース高さが倍程度ある。また、外装ケースを高さの異なる内容器に共用するような仕様もあるなどして、スペース高さはさらに高くなることもある。
【０００４】
このため、前記のようなＺ型の連結金具だけによるのでは、その足長さがスペース高さに比例して大きくなるし、特許文献１、２に見られるように下端の連結片と外装ケースの底部との間に締め付け代を残して連結を終えて底部どうしの引き付けが連結金具の突っ張りの影響なく十分に行えるようにされることもあって、万一にも器体を他に当てたり、落したりして外力や衝撃を受けたときの変形やよじれ、伸びなどに対する剛性を保証しにくく、内容器および外装ケース間の変位や変形も手伝ってそれらの連結に遊びができて内容器の吊持ち固定状態が緩み、これに気付かないままに肩部開口部での内容器の吊持ち部から器体内に水漏れすることが考えられる。
【０００５】
本発明の目的は、内容器および外装ケースの底部間のスペースを高くしたり、高くなるような場合にも、内容器の吊持ち固定状態が緩みにくい電気貯湯容器を提供することにある。
【課題を解決するための手段】
【０００６】
本発明の電気貯湯容器は、内容液をヒータで加熱して湯沸しや保温を行い貯湯し使用に供する内容器を、外装ケース内にその肩部の開口部から収容し、内容器の外周上部を外装ケースの肩部の開口部に載置して吊持ち、内容器の底部と外装ケースの底部とをこの底部の下方から挿入したねじを利用し連結してそれら底部間を引き付け、内容器を外装ケースに固定した器体を備え、前記内容器の底部から下方に延びる連結部材の下端の横向きな連結片に縦向きのスペーサを取り付け、このスペーサと前記外装ケースの底部とを前記ねじにより連結して内容器を外装ケースに固定したことを特徴としている。
【０００７】
このような構成では、連結部材は内容器の底部下方へ延びて下端の連結片を利用して外装ケースの底部と連結するのに、この下端の連結片に取り付けた縦向きのスペーサ分だけ、内容器および外装ケースの底部間のスペース高さに対する必要長さが短縮され、それが長くなることによる変形やよじれなどに対する剛性の低下が抑えられるし、スペーサは連結部材の下端連結片から真っ直ぐ下に延びるだけの単純で剛性の高い直状体として、その下端連結片と同じ位置、同じ向きの連結部を下端がなし、外装ケースの底部とのその下から挿入するねじによる連結を従来の組立て性、分解性を損なったり、変形やよじれなどに対する剛性を損なわずに達成することができる。
【０００８】
前記外装ケースの底部の前記ねじを通す孔は、この孔内に位置するねじまたはスペーサとの間に遊びを持つ大きさである、さらなる構成では、
器体を他に当てたり、落したりして内容器および外装ケースの底部間に横方向の位置ずれ力が一瞬働くようなときに、スペーサと外装ケースの底部とのねじ連結によるねじ側と外装ケースの底部との間の面圧によってそれを緩衝的に受けられ、ねじ、スペーサ、および連結部材がなす連結構造材に内容器および外装ケースの底部間にて伸びを伴う塑性変形を起こすようなことを防止することができる。
【０００９】
外装ケースの底部の下面の前記ねじを通す部分には少なくとも二重のワッシャを当てがってあり、ねじの頭部と接面している外側のワッシャに比して内側のワッシャは軟らかくかつ圧縮に対する弾性復元力を有している、さらなる構成では、
スペーサと外装ケースの底部とのねじ連結によるねじ側と外装ケースの底部との間の面圧が、ねじの頭部域から二重のワッシャによる面域に拡大して、しかも外側のワッシャと外装ケースの底部下面との間で外側のワッシャよりも軟らかくかつ圧縮に対する弾性復元力を有した内側のワッシャに対する圧迫を伴って得られ、器体を他に当てたり、落したりして一瞬働くような内容器および外装ケースの底部間に横方向の位置ずれ力をより柔軟により確実に受けられ、ねじ、スペーサ、および連結部材がなす連結構造材に内容器および外装ケースの底部間にて伸びを伴う塑性変形を起こすようなことをより防止しやすい。
【００１０】
前記ねじによる連結は、前記内側のワッシャの前記外側のワッシャと外装ケースの底部との間での圧縮を伴い行われている、さらなる構成では、
前記面圧が、内側のワッシャの軟らかくかつ圧縮に対する復元力を持った性質による逃げを抑えて確実に得られ、しかも、器体を他に当てたり落したりして、前記連結構造材の万一もの伸びを伴う塑性変形またはおよび内容器および外装ケースの底部間隔が縮まるような変形や変位があったような場合でも、圧縮状態からの復元によって前記縮まりを埋めてなお面圧を確保し、連結に遊びが生じるのを防止することができる。
【００１１】
前記内側のワッシャの圧縮量は、器体の取扱上生じることのある前記連結の遊び量以上である、さらなる構成では、
器体を他に当てたり落したりして前記連結構造材の万一もの伸びを伴う塑性変形またはおよび内容器および外装ケースの底部間隔が縮まるような変形や変位があるどの場合でも、内側のワッシャの圧縮状態からの復元によって連結に遊びが生じるのを確実に防止することができる。
【００１２】
前記ねじによる連結は、前記内側のワッシャの外側のワッシャとスペーサとの間での圧縮をも伴って行われている、さらなる構成では、
ねじとスペーサとの間でも外側のワッシャとスペーサ下面との間の二重のワッシャを介した面圧が、外側のワッシャよりも軟らかくかつ圧縮に対する弾性復元力を有した内側のワッシャに対する圧縮を伴い、内側のワッシャの軟らかくかつ圧縮に対する復元力を持った性質による逃げを抑えて確実に得られ、ねじとスペーサとの連結状態をスペーサの連結部材への取り付け状態とともに確固に保持することができる。
【００１３】
本発明のそれ以上の目的および特徴は、以下の詳細な説明および図面によって明らかになる。本発明の各特徴は可能な限りにおいて、それ単独で、あるいは種々な組合せで複合して用いることができる。
【発明の効果】
【００１４】
本発明の電気貯湯容器によれば、内容器および外装ケースの底部間のスペース高さが大きくなっても、外装ケースの底部とのその下から挿入するねじによる連結を従来の組立て性、分解性を損なったり、連結構造材の変形やよじれなどに対する剛性を損なわずに達成して、器体を他に当てたり、落したりして外力や衝撃を受けるようなことがあっても、内容器の吊持ち固定状態が緩んで、器体内部への水漏れの原因になるようなことを防止することができる。
【００１５】
前記外装ケースの底部の前記ねじを通す孔が、この孔内に位置するねじまたはスペーサとの間に遊びを持つ大きさである、さらなる構成によれば、
器体を他に当てたり、落したりして内容器および外装ケースの底部間に横方向の位置ずれ力が働いても、ねじ側と外装ケースの底部との間の面圧によって緩衝的に受け、内容器および外装ケースの底部間の連結構造材が伸びを伴い塑性変形して、内容器の吊持ち固定状態の緩みの原因になるのを防止することができる。
【００１６】
外装ケースの底部の下面の前記ねじを通す部分には少なくとも二重のワッシャを当てがってあり、ねじの頭部と接面している外側のワッシャに比して内側のワッシャは軟らかくかつ圧縮に対する弾性復元力を有している、さらなる構成によれば、
連結によるねじ側と外装ケースの底部との間の面圧が二重のワッシャの面域で、外側のワッシャと外装ケースの底部下面との間の内側のワッシャに対する圧迫を伴って働き、内容器および外装ケースの底部間の横方向の位置ずれ力を柔軟かつ確実に受けて、連結構造材の塑性変形、特に伸びを防止して連結の安定性を確保することができる。
【００１７】
前記ねじによる連結は、前記内側のワッシャの前記外側のワッシャと外装ケースの底部との間での圧縮を伴い行われている、さらなる構成によれば、
前記面圧を内側のワッシャによる逃げを抑えて確実に得ながら、前記連結構造材の万一もの伸びを伴う塑性変形またはおよび内容器および外装ケースの底部間隔の縮まりが生じてもその分の内側のワッシャの圧縮復元により埋めてなお面圧を確保し、内容器の吊持ち固定状態を緩みにくくすることができる。
【００１８】
前記内側のワッシャの圧縮量は、器体の取扱上生じることのある前記連結の遊び量以上である、さらなる構成によれば、
前記連結構造材の万一もの伸びを伴う塑性変形またはおよび内容器および外装ケースの底部間隔に縮まりが生じるどのような場合でも、内側のワッシャの圧縮復元による内容器の吊持ち固定の緩み防止を確保することができる。
【００１９】
前記ねじによる連結は、前記内側のワッシャの外側のワッシャとスペーサとの間での圧縮をも伴って行われている、さらなる構成によれば、
ねじとスペーサとの間の二重のワッシャによる内側のワッシャの圧縮を伴った面圧にて、ねじとスペーサとの連結状態をスペーサの連結部材への取り付け状態とともに確固に保持し、内容器の吊持ち固定状態の緩みをさらに防止しやすい。
【発明を実施するための最良の形態】
【００２０】
以下、本発明の電気貯湯容器の実施の形態に係る電気ポットについて図１〜図５を参照しながら説明し、本発明の理解に供する。
【００２１】
本実施の形態の電気ポットは図１に示すように、内容液をヒータ４で加熱して湯沸しや保温を行い貯湯し使用に供する内容器２を、外装ケース１内にその上端部をなす肩部材１６の図１、図２に示す開口部２０を通じて上方から収容し、内容器２の外周上部２ａを外装ケース１の肩部材１６の開口部２０の内周の段部２０ａなどに載置して吊持ち、内容器２の底部２ｂと外装ケース１の底部１ａとをこの底部１ａの下方から挿入した図１、図３〜図５に示すねじ２１を利用し連結してそれら底部２ｂ、１ａ間を引き付け、内容器２を外装ケース１に固定した器体３を備えた基本構成を有している。
【００２２】
さらに具体的には、図１に示すように内容器２はステンレス鋼製の真空二重容器を採用して上端に外向きのフランジタイプの外周上部２ａを形成して開口部２０内周途中の上向きな段部２０ａの上にシールパッキン２２を介して載置し、水漏れしないように吊持ち固定できるようにしている。シールパッキン２２は前記外周上部２ａにそれを包み込むように装着したものとしているが、段部２０ａ上に載置したものとすることもできる。しかし、内容器２は一重容器でもよいし、外装ケース１への吊持ち構造も種々に変更することができる。ヒータ４は内容器２の底部２ｂの周辺部を残して設けた一重底部２ｃの下面に当てがい内容液を真空二重部２ｄの邪魔なく効率良く加熱できるようにしている。一重底部２ｃを囲う環状な底部２ｂの周方向数個所に金具２３を溶接などして取り付け、この金具２３にヒータ４の下を覆う金属製の遮熱板２４をねじ２５によりねじ止めし、この遮熱板２４とヒータ４との間に設けたばね板や当て板などよりなる押圧構造部２６によりヒータ４を一重底部２ｃに圧着させるようにしている。
【００２３】
内容器２はその一重底部２ｃから延びて内容器２および外装ケース１の胴部間を立ち上がり先端の吐出口６が器体３の上部前方への張り出し部５に器体３外へ臨む吐出路７を持ち、ユーザが電動ポンプ１５や手動のポンプ１０を張り出し部５上の操作パネル９でのキー操作や器体３を開閉する器体蓋１８上面の押圧板１０ａなどにより働かせることで、貯湯している内容液を吐出路７を通じて器体外に吐出し使用できるようにしている。また、張り出し部５内には操作パネル９に対応した操作・表示系基板ボックス８が設けられ、吐出路７の途中には器体３が異常姿勢のときに閉じる図１、図２に示す止水弁１１、１２、１３が設けられ、操作パネル９で設定されるモードに従って前記底部１ａ、２ｂ間に設けた制御手段１４がヒータ４を沸騰や保温モードで働かせて貯湯を行ない、また、電動ポンプ１５を駆動するようにしてある。なお、転倒時止水弁１１、前傾時止水弁１２、および横向き転倒時止水弁１３は、図１、図２に示すように吐出路７の立ち上がり部の上部に設けられ、器体３の転倒、前傾、横向き転倒の３つの姿勢異常に対応することができ使用上の安全性が高いものとなっている。
【００２４】
外装ケース１は合成樹脂製で底部１ａと胴部１ｂが一体成形されたものとし、合成樹脂製の肩部材１６を上方から嵌め合せて、前記内容器２の外装ケース１への吊持ち固定状態により一体化するようにしている。しかし、これに限られることはなく具体的構成は種々に設計することができる。器体蓋１８は肩部材１６の後部に設けられた軸受部１９にヒンジピン２７を着脱できるように嵌め合せて枢支し、ヒンジピン２７を中心とした回動により開口部２０を内容器２の口部２ｆと共に開閉できるようにしている。軸受部１９は前方に向け開放していて器体蓋１８が開口部２０から前後に移動できるまでに所定量以上開いた状態でヒンジピン２１を軸受部１９に対し出し入れして器体蓋１８を着脱できるようにしている。軸受部１９の開放部にはばねで閉じ習性を与えられたストッパ２８を設け、器体蓋１８が不用意に外れないようにしている。
【００２５】
器体蓋１８の前部である自由端部にばねにより係止位置に常時あるよう付勢されたロック部材３１が設けられ、器体蓋１８が閉じられたときロック部材３１が肩部材１６の係止部に係合して器体蓋１８を閉じ状態にロックするようにしてある。ロック部材３１によるロックは、器体蓋１８の上面に設けられたロック解除レバー３２を軸３３を中心に時計方向に回動させることによってロック部材３１をばねに抗し後退させて解除することができる。ロック解除レバー３２の時計方向の回動は、ロック解除レバー３２の前端部を親指で押しさげながらこれにより器体蓋１８の上面に突出する後端部を人差し指や薬指あるいはその両方で持ち上げて行なうことができ、ロック解除に引き続きロック解除レバー３２を引き上げると器体蓋１８を最終まで開くことができる。
【００２６】
器体蓋１８の内側には金属製の内蓋３４が当てがわれ、外周のシールパッキング３５が内容器２の口部２ｆ上に密着して内容器２を閉じる耐熱構造にしてある。材料は熱伝導性が低く耐蝕性があることから内容器２と同じステンレス鋼としてある。器体蓋１８の内部には内容器２内と器体蓋１８の外部とを連通させる蒸気通路３６が設けられ、内容器２内で発生する蒸気を外部に放出し、異常昇圧を防止するようにしてある。蒸気通路３６にも転倒時止水弁３７が設けられ、器体３の転倒時に閉じて蒸気通路３６を通じ内容液が流出するのを防止する。
【００２７】
制御手段１４は外装ケース１の底部に一体成形されるか、ねじ止めされた下向きの回路ボックス３８内に収容された制御回路基板であり、回路ボックス３８は外装ケース１の底部の開口部３９に位置し、下方から蓋４１が被せ付けられている。外装ケース１の底部の開口部３９には下方から合成樹脂製の底蓋４２が当てがわれ、外周部の爪の係合とねじ止めとにより外装ケース１の底部１ａに着脱できるように取付けられている。底蓋４２と外装ケース１の底部１ａとの間には回転座体４３が回動できるように挟み込まれ、電気貯湯容器が定置されたときその器体３を３６０度未満の範囲で往復回動できるように支え、器体３の向きを変えられるようにしている。
【００２８】
ここで、既述したように器体３を他に当てたり、落したりしたときの外力や衝撃などによって底部１ａ、２ｂ間の連結に万一にも遊びができると、内容器２の外装ケース１への吊持ち固定状態に緩みが生じ、内容液が給排される前記開口部２０と内容器２の外周上部２ａとの間にできる隙間から器体３内に水漏れする原因になる。この水漏れは図２に示す肩部材１６の開口部２０と内容器２の胴部との間の隙間から器体３内に漏れ出すので、電気ポットにとって重要な問題である。
【００２９】
これに対応するのに本実施の形態では、図１〜図４に示す例、図５に示す例のように、内容器２の底部２ｂから下方に延びる連結部材５１の下端の横向きな連結片５１ａに縦向きのスペーサ５３を取り付け、このスペーサ５３と外装ケース１の底部１ａとを前記ねじ２１により連結して内容器２を外装ケース１に吊持ち固定している。これにより、連結部材５１は図３に示すように内容器２の底部２ｂ下方へ延びて下端の連結片５１ａを利用して外装ケース１の底部１ａと連結するのに、この下端の連結片５１ａに取り付けた縦向きのスペーサ５３の長さＬ１分だけ、内容器２および外装ケース１の底部２ｂ、１ａ間のスペース高さＨに対する必要長さＬ２が短縮される。
【００３０】
したがって、連結部材５１が板状のまま長くなることによる変形やよじれなどに対する剛性の低下が抑えられるし、スペーサ５３は連結部材５１の下端連結片５１ａから真っ直ぐ下に延びるだけの単純で剛性の高い直状体、具体的には金属製の柱状体として、その下端連結片５１ａによる連結部位置をそれと同じ位置、同じ向きを保って真下に変位した連結部５４を下端でなし、外装ケース１の底部１ａとのその下から挿入するねじ２１のねじ合せによる連結を、必要とし、また望まれる深いねじ合わせ代ｌをも満足して、従来の組立て性、分解性を損なったり、変形やよじれなどに対する剛性を損なわずに達成することができる。この結果、内容器２および外装ケース１の底部２ｂ、１ａ間のスペース高さＨが大きくなっても、外装ケース１の底部１ａ下から挿入するねじ２１による連結を従来の組立て性、分解性を損なったり、ねじ２１、スペーサ５３、連結部材５１が底部１ａ、２ｂ間で繋がった連結構造材６１全体の変形やよじれなどに対する剛性を損なわずに達成して、器体３を他に当てたり、落したりして外力や衝撃を受けるようなことがあっても、内容器２の外装ケース１への吊持ち固定状態が緩んで、器体３内部への水漏れの原因になるようなことを防止することができる。
【００３１】
なお、連結部材５１は内容器２の底部２ｂに設けた金具２３にねじ２５により取り付けた遮熱板２４における、前記ねじ止め部外側から下方に一体に延びて下端に連結片５１ａを有した脚状に形成したものとしてあるが、従来通りのＺ型の単独金具として単独で、あるいは遮熱板２４と二重構造をなしてねじ２１により内容器２の底部２ｂに金具２３などを介して取り付けてもよい。このねじ２１によるねじ止めは金属製のワッシャ６２を介して行い、ねじ止めによる面圧がねじ２１の頭部域からそれよりも大きいワッシャ域に拡大して、遮熱板２４や連結部材５１の遮熱板２４からの垂下基部が、ねじ止め部を中心に位置ずれや変形するのを防止しやすくしている。また、連結部材５１の遮熱板２４からの屈曲部と連結片５１ａへの屈曲部のコーナ部には、その連続方向に直交する圧痕状のビード６３を形成してそこでの屈伸変形に対する剛性を高めている。また、スペーサ５３は金属製で、上端に連結片５１ａに見合う大きさの端面の中心部から上方に延びるねじ６４を連結片５１ａにねじ合わせて、前記端面を連結片５１ａの下面に圧締させて十分な面圧を十分な面積で得て、スペーサ５３を連結片５１ａに対し、位置ずれに対しては勿論、揺れなどに対しても十分な取り付剛性を持って確固に取付けている。
【００３２】
外装ケース１の底部１ａの前記ねじ２１を通す孔６５は、図１〜図４の例の図３（ａ）に示すように孔６５内に位置するスペーサ５３、または図５の例に示すように孔６５内に位置するねじ２１との間に遊びＳを持つ大きさとしてある。これにより、器体３を他に当てたり、落したりして内容器２および外装ケース１の底部２ｂ、１ａ間に横方向の位置ずれ力が一瞬働くようなときに、孔６５とそれに臨んでいるスペーサ５３やねじ２１との当りによる邪魔なく、スペーサ５３と外装ケース１の底部１ａとのねじ連結によるねじ２１側と外装ケース１の底部１ａとの間の面圧によってそれを緩衝的に受けられる。この結果、連結構造材６１に内容器２および外装ケース１の底部１ａ間にて伸びを伴う塑性変形を起こすようなことを防止することができ、内容器２および外装ケース１の連結に遊びができるのを防止するのに好適である。
【００３３】
図５に示す例では、外装ケース１の底部１ａのねじ２１を通す部分の下面には金属製のワッシャ６６を当てがってあり、前記面圧域をねじ２１の頭部域からワッシャ６６の面域に拡大でき、孔６５が図示例のようにねじ２１の頭部より大きくても連結に必要な面圧が得られる。特に、孔６５は図１、図３、図５に示すように外装ケース１の底部１ａにおける開口部３９の底板４２が当てがわれる下向きの段部７１を形成している部分を、上方へ立ち上がりかつ内側に延出した下向きのボックス形状部７２の天井壁７２ａに形成して、しかも、天井壁７２ａの上方へボックス形状部７２から立ち上がる平面視コ字状の囲い壁７２ｂを形成してあり、底部１ａにおける内容器２との連結部の補強を図っている。
【００３４】
図１〜図４に示す例では、特に、外装ケース１の底部１ａのねじ２１を通す部分の下面には、少なくとも二重のワッシャ６７、６８を当てがってあり、ねじ２１の頭部と接面している外側のワッシャ６７に比して内側のワッシャ６８は軟らかくかつ圧縮に対する弾性復元力を有したものとしている。具体的には、外側のワッシャ６７は金属製とし、内側のワッシャ６８はシリコンゴムよりなる弾性ワッシャとした二重構造としてある。しかし、これに限られることはなく上記の条件を満足すればよいので、内側のワッシャ６８は二重以上に分け、異なった材質のものを組み合わせることもできる。
【００３５】
このようにすると、スペーサ５３と外装ケース１の底部１ａとのねじ連結によるねじ２１側と外装ケース１の底部１ａとの間の面圧が、ねじ２１の頭部域から二重のワッシャ６７、６８による面域に拡大して、しかも外側のワッシャ６７と外装ケース１の底部１ａ下面との間で外側のワッシャ６７よりも軟らかくかつ圧縮に対する弾性復元力を有した内側のワッシャ６８に対する圧迫を伴って得られる。従って、器体３を他に当てたり、落したりして一瞬働くような内容器２および外装ケース１の底部２ｂ、１ａ間に横方向の位置ずれ力をより柔軟により確実に受けられ、前記連結構造材６１に内容器２および外装ケース１の底部２ｂ、１ａ間にて伸びを伴う塑性変形を起こすようなことをより防止しやすい。この結果、連結によるねじ２１側と外装ケース１の底部１ａとの間の面圧が二重のワッシャ６７、６８の面域で、外側のワッシャ６７と外装ケース１の底部１ａ下面との間の内側のワッシャ６８に対する圧迫を伴って働き、底部２ｂ、１ａ間の横方向の位置ずれ力を柔軟かつ確実に受けることにより、連結構造材６１の塑性変形、特に伸びを防止して連結の安定性を確保することができる。
【００３６】
ここで、ねじ２１による連結は、内側のワッシャ６８の外側のワッシャ６７と外装ケース１の底部１ａとの間での例えば図４に示す単なる接触状態から図３（ａ）に示す状態への圧縮を伴い行うようにすると、前記面圧が、内側のワッシャ６８の軟らかくかつ圧縮に対する復元力を持った性質による逃げを抑えて確実に得られる上、器体３を他に当てたり落したりして内容器２および外装ケース１の底部間隔、つまりスペース高さＨが縮まるような変形や変位があったような場合でも、圧縮状態からの復元によって図３（ｂ）に示すように前記縮まりを埋めてなお面圧を確保し、連結に遊びが生じるのを防止することができる。この結果、前記面圧を内側のワッシャ６８による逃げを抑えて確実に得ながら、底部２ｂ、１ａ間のスペース高さＨの縮まりが生じてもその分の内側のワッシャ６８の圧縮復元により埋めてなお面圧を確保し、内容器２の外装ケース１への吊持ち固定状態を緩みにくくすることができる。ここに、内側のワッシャ６８の前記圧縮量は、器体３の取扱上生じることのある前記連結の遊び量以上としておくことにより、器体３を他に当てたり落したりして、連結構造材６１の万一もの伸びを伴う塑性変形またはおよび底部２ｂ、１ａ間のスペース高さＨが縮まるような変形や変位があるどの場合でも、内側のワッシャ６８の圧縮状態からの復元によって連結およびそれによる内容器２の吊持ち固定状態に遊びや緩みが生じるのを確実に防止することができる。この結果、底部２ｂ、１ａ間に縮まりが生じるどのような場合でも、内側のワッシャ６８の圧縮復元による内容器２の吊持ち固定の緩み防止を確保することができる。
【００３７】
さらに、前記ねじ２１による連結は、前記図４に示す締め代Ｂを超えたねじ２１の締め上げによって、内側のワッシャ６８の外側のワッシャ６７とスペーサ５３との間での図３（ａ）に示すような圧縮をも伴って行っている。これにより、ねじ２１とスペーサ５３との間でも外側のワッシャ６７とスペーサ５３下面との間の二重のワッシャ６７、６８を介した面圧が、外側のワッシャ６７よりも軟らかくかつ圧縮に対する弾性復元力を有した内側のワッシャ６８に対する圧縮を伴い、内側のワッシャ６８の軟らかくかつ圧縮に対する復元力を持った性質による逃げを抑えて確実に得られ、ねじ２１とスペーサ５３との連結状態をスペーサ５３の連結部材５１への取り付け状態とともに確固に保持することができる。この結果、外装ケース１の底部１ａの孔６５とこの孔６５内に位置するスペーサ５３との間に設ける遊びＳの影響なく内容器２の外装ケース１への吊持ち固定状態の緩みをさらに防止しやすい。
【産業上の利用可能性】
【００３８】
本発明の電気貯湯容器によれば、電気ポットの内容器の外装ケースへの吊持ち固定に実用でき、器体が外力や衝撃など受けたときの固定状態の緩みを防止する。
【図面の簡単な説明】
【００３９】
【図１】本発明の実施の形態に係る電気ポットの１つの例を示す断面図である。
【図２】図１の電気ポットの内容器および肩部材の前方下部から見た斜視図である。
【図３】図１の電気ポットの内容器および外装ケースの底部間のワッシャの圧縮を伴った通常連結状態と、圧縮の復元によって連結の緩みを防止している連結状態とを示す断面図である。
【図４】図３の通常連結状態に向けた通常の締め代状態を示す断面図である。
【図５】本発明の実施の形態に係る電気ポットの容器および外装ケースの底部間の別の連結状態を示す断面図である。
【符号の説明】
【００４０】
１  外装ケース
２  内容器
１ａ、２ｂ  底部
３  器体
２ａ  外周上部
４  ヒータ
６  吐出口
７  吐出路
１０  手動ポンプ
１４  制御手段
１５  電動ポンプ
１６  肩部材
２０  開口部
２０ａ  段部
２１、６４  ねじ
２３  金具
５１  連結部材
５１ａ  連結片
５３  スペーサ
５４  連結部
６１  連結構造材
６２、６７、６８  ワッシャ
６５  孔
Ｓ  遊び
【図１】
2006081819.tif 000003
【図２】
2006081819.tif 000004
【図３】
2006081819.tif 000005
【図４】
2006081819.tif 000006
【図５】
2006081819.tif 000007